(57)【要約】【課題】地図データの配信時間を短縮する。【解決手段】計画手段は、要求所要時間及び地図データに関する情報を管理情報に登録する基本計画登録手段と、詳細化レベルの数及び詳細化レベルを管理情報に登録する詳細計画登録手段と、所要時間を算出する所要時間算出手段と、合計所要時間が要求所要時間以下に達するまで、基本計画登録手段から所要時間算出手段までの処理を繰り返す所要時間調整手段と、詳細化レベルの数及び詳細化レベルを決定する詳細化決定手段とを備え、管理手段は、詳細化レベルと当該利用者に関する情報とを管理情報に登録する補足追加手段を備え、作成手段は、画像データを管理情報に登録する画像データ登録手段と、画像データを段階的に地図データへ変換する画像データ変換手段とを備え、提供手段は、地図データを利用者端末に送信する画像データ配信手段を有している。【選択図】図１
2008234493.tif 000002
【特許請求の範囲】
【請求項１】
画像データの作成を要求する複数の利用者端末と、管理端末を接続すると共に、前記利用者端末からの複数種類の前記要求に基づいた画像データを段階的に詳細化して作成したそれぞれの詳細化レベルの詳細化画像データを登録する管理装置とを通信ネットワークを介して接続することによって、前記詳細化画像データを当該利用者端末に送信する画像データ作成提供システムであって、
前記管理装置は、
前記管理端末からの前記詳細化レベルを計画した管理情報を登録する計画手段と、
前記管理端末から前記管理情報に対して補足追加情報を登録する管理手段と、
前記画像データから前記詳細化画像データを作成する作成手段と、
前記詳細化画像データを当該利用者端末に配信する提供手段と、
を備えることを特徴とする画像データ作成提供システム。
【請求項２】
前記管理装置は、前記詳細化レベルの数及びそれぞれの前記詳細化レベルに応じて、前記管理手段、前記作成手段、及び前記提供手段のそれぞれの処理における所要時間を設定した基準時間情報を備え、
前記計画手段は、
前記作成要求について、予想される要求所要時間及び前記詳細化画像データに関する情報を前記管理情報に登録する基本計画登録手段と、
該基本計画登録手段で登録した前記詳細化画像データに関する情報に基づいて、前記詳細化レベルの数及びそれぞれの前記詳細化レベルを前記管理情報に登録する詳細計画登録手段と、
該詳細計画登録手段で登録した前記詳細化レベルの数及びそれぞれの前記詳細化レベルと前記基準時間情報とに基づいて、前記所要時間を算出する所要時間算出手段と、
を備えることを特徴とする請求項１記載の画像データ作成提供システム。
【請求項３】
前記計画手段は、
前記所要時間算出手段で算出したそれぞれの前記所要時間の合計所要時間が前記要求所要時間以下に達するまで、前記基本計画登録手段から前記所要時間算出手段までの処理を繰り返す所要時間調整手段と、
前記合計所要時間が前記要求所要時間以下に達した際に、当該詳細化画像データについて、前記詳細計画登録手段で登録した前記詳細化レベルの数及びそれぞれの前記詳細化レベルを決定する詳細化決定手段と、
を備えることを特徴とする請求項２記載の画像データ作成提供システム。
【請求項４】
前記管理手段は、前記詳細化レベルと当該利用者に関する情報とを前記管理情報に登録する補足追加手段を備えることを特徴とする請求項１乃至３の何れか１に記載の画像データ提供システム。
【請求項５】
前記作成手段は、撮影した前記画像データを前記管理情報に登録する画像データ登録手段と、
前記詳細化決定手段で決定した前記詳細化レベルの数及びそれぞれの前記詳細化レベルに基づいて、前記画像データを段階的にそれぞれの前記詳細化画像データへ変換する画像データ変換手段とを備えることを特徴とする請求項３又は４記載の画像データ作成提供システム。
【請求項６】
前記提供手段は、前記管理端末からの前記管理情報の選択に基づいて、該管理情報の登録されている前記詳細化画像データを前記利用者に関する情報に該当する前記利用者端末に送信する画像データ配信手段を備えることを特徴とする請求項４又は５記載の画像データ作成提供システム。
【請求項７】
画像データの作成を要求する複数の利用者端末と、管理端末を接続すると共に、前記利用者端末からの複数種類の前記要求に基づいた画像データを段階的に詳細化して作成したそれぞれの詳細化レベルの詳細化画像データを登録する管理装置とを通信ネットワークを介して接続する画像データ作成提供システムに用いられ、前記詳細化画像データを当該利用者端末に送信する画像データ作成提供方法であって、
前記管理端末からの前記詳細化レベルを計画した管理情報を登録する計画工程と、
前記管理端末から前記管理情報に対して補足追加情報を登録する管理工程と、
前記画像データから前記詳細化画像データを作成する作成工程と、
前記画像データを当該利用者端末に配信する提供工程と、
を有することを特徴とする画像データ作成提供方法。
【請求項８】
前記計画工程は、
予め、前記詳細化レベルの数及びそれぞれの前記詳細化レベルに応じて、前記管理工程、前記作成工程及び前記提供工程のそれぞれの処理における所要時間を設定した基準時間情報を前記管理装置に登録する基準時間情報登録工程と、
前記作成要求について、予想される要求所要時間及び前記詳細化画像データに関する情報を前記管理情報に登録する基本計画登録工程と、
該基本計画登録工程で登録した前記詳細化画像データに関する情報に基づいて、前記詳細化レベルの数及びそれぞれの前記詳細化レベルを前記管理情報に登録する詳細計画登録工程と、
該詳細計画登録工程で登録した前記詳細化レベルの数及びそれぞれの前記詳細化レベルと前記基準時間情報とに基づいて、前記所要時間を算出する所要時間算出工程と、
を有することを特徴とする請求項７記載の画像データ作成提供方法。
【請求項９】
前記計画工程は、
該所要時間算出工程で算出したそれぞれの前記所要時間の合計所要時間が前記要求所要時間以下に達するまで、前記基本計画登録工程から前記所要時間算出工程までの処理を繰り返す所要時間調整工程と、
前記合計所要時間が前記要求所要時間以下に達した際に、当該詳細化画像データについて、前記詳細計画登録工程で登録した前記詳細化レベルの数及びそれぞれの前記詳細化レベルを決定する詳細化決定工程と、
を有することを特徴とする請求項８記載の画像データ作成提供方法。
【請求項１０】
前記管理工程は、前記詳細化レベルと当該利用者に関する情報とを前記管理情報に登録する補足追加工程を有することを特徴とする請求項７乃至９の何れか１記載の画像データ提供方法。
【請求項１１】
前記作成工程は、撮影した前記画像データを前記管理情報に登録する画像データ登録工程と、
前記詳細化決定工程で決定した前記詳細化レベルの数及びそれぞれの前記詳細化レベルに基づいて、前記画像データを段階的にそれぞれの前記詳細化画像データへ変換する画像データ変換工程とを有することを特徴とする請求項９又は１０記載の画像データ作成提供方法。
【請求項１２】
前記提供工程は、前記管理端末からの前記管理情報の選択に基づいて、該管理情報の登録されている前記詳細化画像データを前記利用者に関する情報に該当する前記利用者端末に送信する画像データ配信工程を有することを特徴とする請求項１０又は１１記載の画像データ作成提供方法。
【請求項１３】
請求項７乃至１２の何れか１に記載の画像データ作成提供方法をコンピュータに実行させるための画像データ作成提供プログラム。
【発明の詳細な説明】
【技術分野】
【０００１】
この発明は、画像データ作成提供システム及び該システム利用される画像データ作成提供方法、画像データ作成提供プログラムに関し、詳しくは、画像データの作成を要求する複数の利用者端末と、管理端末を接続すると共に、前記利用者端末からの複数種類の前記要求に基づいた画像データを段階的に詳細化して作成したそれぞれの詳細化レベルの詳細化画像データを登録する管理装置とを通信ネットワークを介して接続することによって、前記詳細化画像データを当該利用者端末に送信することを内容とする。
【背景技術】
【０００２】
組織内の各部署で利用するための新規の地図等の画像データを作成する際、必要とされる画像データの詳細化レベルは、その利用者によって様々である。図６の従来の画像データ作成方法の説明図に示すように、利用者が複数存在し、それらの利用者の要求する画像データの詳細化レベルが異なる場合、それぞれの利用者が要求する詳細化レベルの数だけ画像データの作成を行わなければならず非効率であった。
【０００３】
地図データ等の作成に関する従来技術としては、特許文献１や特許文献２等に記載のものが開示されている。まず、特許文献１に記載の「土地管理台帳写真図作成システムおよび土地管理台帳写真図」は、地上を撮影した航空写真のデータと土地管理情報に記載された紙版地図のデータとを重ね合わせることによって、精度のよい航空写真地図を作成することができる構成になっている。
【０００４】
次に、特許文献２に記載の「地図の修正支援方法」は、航空写真の画像と基準地図とを比較し、差異が認められた地域に対しては、現地調査からのレポートデータに基づいた修正を行うことによって、正確な地図を作成することができる構成になっている。
【特許文献１】実用新案登録第３１１６８８２号公報
【特許文献２】特開２００５−１０７３５２号公報
【発明の開示】
【発明が解決しようとする課題】
【０００５】
しかしながら、特許文献１や特許文献２に記載の従来技術では、同一画像データに対して、複数の利用者から、詳細化画像データの個別的作成要求（つまり、詳細化の程度がまちまちの作成要求）があった場合には、個別的に要求される詳細化画像データを各利用者へ迅速に配信することができないという不具合があった。
【０００６】
この発明は、上記事情に鑑みてなされたもので、同一画像データでありながら、要求される詳細化の程度がまちまちである場合でも、各利用者に迅速に配信できる画像データ作成提供システム及び該システム利用される画像データ作成提供方法、画像データ作成提供プログラムを提供することを目的とする。
【課題を解決するための手段】
【０００７】
上記課題を解決するために、請求項１記載の発明は、画像データの作成を要求する複数の利用者端末と、管理端末を接続すると共に、前記利用者端末からの複数種類の前記要求に基づいた画像データを段階的に詳細化して作成したそれぞれの詳細化レベルの詳細化画像データを登録する管理装置とを通信ネットワークを介して接続することによって、前記詳細化画像データを当該利用者端末に送信する画像データ作成提供システムに係り、前記管理装置は、前記管理端末からの前記詳細化レベルを計画した管理情報を登録する計画手段と、前記管理端末から前記管理情報に対して補足追加情報を登録する管理手段と、前記画像データから前記詳細化画像データを作成する作成手段と、前記詳細化画像データを当該利用者端末に配信する提供手段と、を備えることを特徴としている。
【０００８】
また、請求項２記載の発明は、請求項１記載の画像データ作成提供システムに係り、前記管理装置は、前記詳細化レベルの数及びそれぞれの前記詳細化レベルに応じて、前記管理手段、前記作成手段、及び前記提供手段のそれぞれの処理における所要時間を設定した基準時間情報を備え、前記計画手段は、前記作成要求について、予想される要求所要時間及び前記詳細化画像データに関する情報を前記管理情報に登録する基本計画登録手段と、該基本計画登録手段で登録した前記詳細化画像データに関する情報に基づいて、前記詳細化レベルの数及びそれぞれの前記詳細化レベルを前記管理情報に登録する詳細計画登録手段と、該詳細計画登録手段で登録した前記詳細化レベルの数及びそれぞれの前記詳細化レベルと前記基準時間情報とに基づいて、前記所要時間を算出する所要時間算出手段と、を備えることを特徴としている。
【０００９】
また、請求項３記載の発明は、請求項２記載の画像データ提供システムに係り、前記計画手段は、前記所要時間算出手段で算出したそれぞれの前記所要時間の合計所要時間が前記要求所要時間以下に達するまで、前記基本計画登録手段から前記所要時間算出手段までの処理を繰り返す所要時間調整手段と、前記合計所要時間が前記要求所要時間以下に達した際に、当該詳細化画像データについて、前記詳細計画登録手段で登録した前記詳細化レベルの数及びそれぞれの前記詳細化レベルを決定する詳細化決定手段と、を備えることを特徴としている。
【００１０】
また、請求項４記載の発明は、請求項１乃至３の何れか１に記載の画像データ作成提供システムに係り、前記管理手段は、前記詳細化レベルと当該利用者に関する情報とを前記管理情報に登録する補足追加手段を備えることを特徴としている。
【００１１】
また、請求項５記載の発明は、請求項３又は４記載の画像データ作成提供システムに係り、前記作成手段は、撮影した前記画像データを前記管理情報に登録する画像データ登録手段と、前記詳細化決定手段で決定した前記詳細化レベルの数及びそれぞれの前記詳細化レベルに基づいて、前記画像データを段階的にそれぞれの前記詳細化画像データへ変換する画像データ変換手段とを備えることを特徴としている。
【００１２】
また、請求項６記載の発明は、請求項４又は５記載の画像データ作成提供システムに係り、前記提供手段は、前記管理端末からの前記管理情報の選択に基づいて、該管理情報の登録されている前記詳細化画像データを前記利用者に関する情報に該当する前記利用者端末に送信する画像データ配信手段を備えることを特徴としている。
【００１３】
また、請求項７記載の発明は、画像データの作成を要求する複数の利用者端末と、管理端末を接続すると共に、前記利用者端末からの複数種類の前記要求に基づいた画像データを段階的に詳細化して作成したそれぞれの詳細化レベルの詳細化画像データを登録する管理装置とを通信ネットワークを介して接続する画像データ作成提供システムに用いられ、前記詳細化画像データを当該利用者端末に送信する画像データ作成提供方法に係り、前記管理端末からの前記詳細化レベルを計画した管理情報を登録する計画工程と、前記管理端末から前記管理情報に対して補足追加情報を登録する管理工程と、前記画像データから前記詳細化画像データを作成する作成工程と、前記画像データを当該利用者端末に配信する提供工程と、を有することを特徴としている。
【００１４】
また、請求項８記載の発明は、請求項７記載の画像データ作成提供方法に係り、前記計画工程は、予め、前記詳細化レベルの数及びそれぞれの前記詳細化レベルに応じて、前記管理工程、前記作成工程及び前記提供工程のそれぞれの処理における所要時間を設定した基準時間情報を前記管理装置に登録する基準時間情報登録工程と、前記作成要求について、予想される要求所要時間及び前記詳細化画像データに関する情報を前記管理情報に登録する基本計画登録工程と、該基本計画登録工程で登録した前記詳細化画像データに関する情報に基づいて、前記詳細化レベルの数及びそれぞれの前記詳細化レベルを前記管理情報に登録する詳細計画登録工程と、該詳細計画登録工程で登録した前記詳細化レベルの数及びそれぞれの前記詳細化レベルと前記基準時間情報とに基づいて、前記所要時間を算出する所要時間算出工程と、を有することを特徴としている。
【００１５】
また、請求項９記載の発明は、請求項８記載の画像データ提供方法に係り、前記計画工程は、該所要時間算出工程で算出したそれぞれの前記所要時間の合計所要時間が前記要求所要時間以下に達するまで、前記基本計画登録工程から前記所要時間算出工程までの処理を繰り返す所要時間調整工程と、前記合計所要時間が前記要求所要時間以下に達した際に、当該詳細化画像データについて、前記詳細計画登録工程で登録した前記詳細化レベルの数及びそれぞれの前記詳細化レベルを決定する詳細化決定工程と、を有することを特徴としている。
【００１６】
また、請求項１０記載の発明は、請求項７乃至９の何れか１記載の画像データ作成提供方法に係り、前記管理工程は、前記詳細化レベルと当該利用者に関する情報とを前記管理情報に登録する補足追加工程を有することを特徴としている。
【００１７】
また、請求項１１記載の発明は、請求項９又は１０記載の画像データ作成提供方法に係り、前記作成工程は、撮影した前記画像データを前記管理情報に登録する画像データ登録工程と、前記詳細化決定工程で決定した前記詳細化レベルの数及びそれぞれの前記詳細化レベルに基づいて、前記画像データを段階的にそれぞれの前記詳細化画像データへ変換する画像データ変換工程とを有することを特徴としている。
【００１８】
また、請求項１２記載の発明は、請求項１０又は１１記載の画像データ作成提供方法に係り、前記提供工程は、前記管理端末からの前記管理情報の選択に基づいて、該管理情報の登録されている前記詳細化画像データを前記利用者に関する情報に該当する前記利用者端末に送信する画像データ配信工程を有することを特徴としている。
【００１９】
また、請求項１３記載の発明は、画像データ作成提供プログラムに係り、請求項７乃至１２の何れか１に記載の画像データ作成提供方法をコンピュータに実行させることを特徴としている。
【発明の効果】
【００２０】
この発明の構成によれば、図５のこの発明の画像データ作成提供方法の説明図に示すように、画像データから目的の複数の詳細化レベルの詳細化画像データを作成するまでの処理において、従来の方法では同様の処理を重複して行っていた。この発明では、これらの重複処理を１度で済ませることができ、処理の短縮を図った。その結果、利用者へ詳細化画像データを早く配信することができる。
【発明を実施するための最良の形態】
【００２１】
同一画像データでありながら、要求される詳細化の程度がまちまちである場合でも、各利用者に迅速に配信できる画像データ作成提供システムを具現する。
【実施例１】
【００２２】
この発明に係る画像データ作成提供システムの実施例について説明する。１つの画像データから利用者が要求する様々な詳細化レベルの地図データ（詳細化画像データ）を作成して、利用者に提供する地図データ作成提供システムを説明する。
図１は、画像データ作成提供システムの概念的構成を示すブロック図であり、通信ネットワーク３を介して相互に接続される利用者側の複数の利用者端末２と、地図データの管理側の管理装置１とから構成され、管理装置１には、地図データの作成・提供に携わる計画、管理、作成、提供のそれぞれの部署の管理端末１４が接続される。
【００２３】
図２は、管理装置１の概念的構成を示すブロック図であり、管理装置１は、サーバコンピュータであって、所定の制御プログラムに従って構成各部を制御する制御部１１（ＣＰＵ）、所定のプロトコルに従ってデータ通信を行うための通信部１２、ハードディスク（ＨＤ）やＲＡＭ等のメモリである記憶部１３、その他、入力装置や出力装置等、一般的なコンピュータが有する構成を備えている。
記憶部１３には、地図データを提供するための各種処理プログラムや各種データが記憶されている。
【００２４】
各種処理プログラムとしては、基本計画登録プログラム（基本計画登録手段）１３ａ、詳細計画登録プログラム（詳細計画登録手段）１３ｂ、所要時間算出プログラム（所要時間算出手段）１３ｃ、補足追加プログラム（補足追加手段）１３ｄ、画像データ登録プログラム（画像データ登録手段）１３ｅ、画像データ変換プログラム（画像データ変換手段）１３ｆ、地図データ配信プログラム（画像データ配信手段）１３ｇ等のプログラムが記憶されている。
基本計画登録プログラム１３ａは、利用者が要求する地域において、撮影予定の１つの画像データから段階的に詳細化した地図データに関する情報について、管理端末１４から、画像データの合計数、要求所要時間等の予想される情報を基本計画情報１３ｈに登録するプログラムである。
詳細計画登録プログラム１３ｂは、利用者が要求する地域において、管理端末１４から、撮影予定の１つの画像データから段階的に詳細化した地図データの数、詳細化した縮尺地図の比率等の予想される情報を画像計画情報１３ｉ、地図計画情報１３ｊに登録するプログラムである。
所要時間算出プログラム１３ｃは、管理端末１４より、計画に用いた基本計画情報１３ｈ、画像計画情報１３ｉ、地図計画情報１３ｊと、算出に用いる基準時間情報１３ｋとに基づいて、管理工程から提供工程までの合計所要時間を算出し、算出結果を管理端末１４の画面に表示するプログラムである。
補足追加プログラム１３ｄは、地図計画情報１３ｊに登録されている地図データの配信先（補足追加情報）を登録するプログラムである。
画像データ登録プログラム１３ｅは、撮影した画像データ１３ｍを画像計画情報１３ｉに関連付けて登録するプログラムである。
画像データ変換プログラム１３ｆは、画像計画情報１３ｉに関連付けられた画像データ１３ｍを地図計画情報１３ｊの詳細化順番と縮尺比率とに基づいて、段階的に地図データへと変換し、変換後の地図データ１３ｎを該当する地図計画情報１３ｊに関連付けて登録するプログラムである。
地図データ配信プログラム１３ｇは、管理端末１４からの画像計画情報１３ｉの選択に基づいて、この画像計画情報１３ｉに関連付けられた全ての地図計画情報１３ｊ及びこの地図計画情報１３ｊに関連付けられた地図データを地図計画情報１３ｊの地図データの配信先に該当する利用者端末２に送信するプログラムである。
【００２５】
各種データとしては、基本計画情報（管理情報）１３ｈ、画像計画情報（管理情報）１３ｉ、地図計画情報（管理情報）１３ｊ、基準時間情報（管理情報）１３ｋ、画像データ（管理情報）１３ｍ、地図データ（管理情報）１３ｎ等のデータが記憶されている。
基本計画情報１３ｈは、組織が要求する画像データ、地図データについて集約した情報が設定され、組織コード、組織名称、画像データの合計数、地図データの合計数、要求所要時間、算出所要時間、画像撮影決定合計数等の情報を設定する。
画像計画情報１３ｉは、画像データ１３ｍについての情報が設定され、組織コード、画像コード、地図データの合計数、画像撮影決定合計数、画像データファイル名、撮影部門通信欄等の情報を設定する。
地図計画情報１３ｊは、画像計画情報１３ｉが構成する複数のそれぞれの地図データ１３ｎについての情報が設定され、組織コード、画像コード、地図コード、詳細化順番、縮尺比率、画像撮影決定区分、地図データの配信先、地図データファイル名、設定部門通信欄、変換部門通信欄、検査部門通信欄、配信部門通信欄等の情報を設定する。
基準時間情報１３ｋは、地図データを提供するにあたって、画像データ毎に工程別の所要時間を算出するための情報が設定され、地図データの合計範囲数／画像データ、工程コード、単位当たりの所要時間、地図データの範囲数／単位等の情報を設定する。
画像データ１３ｍは、撮影した画像データが登録されている。
地図データ１３ｎは、画像データ１３ｍから変換された各詳細化レベルの地図データが登録されている。
【００２６】
管理端末１４は、一般的なパーソナルコンピュータであって、ＵＳＢ(Universal Serial Bus)メモリ、メモリカード等、外部からの画像データ１３ｍが記憶された記憶装置の受け取り可能な外部インタフェースを備えている。
利用者端末２は、管理端末１４と同様の一般的なパーソナルコンピュータである。
【００２７】
次に、図３のフローチャートを参照して、画像データ作成提供システムの動作を説明する。
利用者が要求する地域において、撮影予定の１つの画像データから段階的に詳細化した地図データに関する情報について、管理端末１４から、画像データの合計数、要求所要時間等の予想される情報を基本計画情報１３ｈに登録する（ステップＡ１：基本計画登録手段）。
利用者が要求する地域において、管理端末１４から、撮影予定の１つの画像データから段階的に詳細化した地図データの数、詳細化した縮尺地図の比率等の予想される情報を画像計画情報１３ｉ、地図計画情報１３ｊに登録する（ステップＡ２：詳細計画登録手段）。
管理端末１４より、計画に用いた基本計画情報１３ｈ、画像計画情報１３ｉ、地図計画情報１３ｊと、算出に用いる基準時間情報１３ｋとに基づいて、管理工程から提供工程までの合計所要時間を算出し、算出結果を管理端末１４の画面に表示する（ステップＡ３：所要時間算出手段）。
ステップＡ３で算出した合計所要時間が基本計画情報１３ｈの要求所要時間以下に達するまで、ステップＡ１からステップＡ３までの処理を繰り返す（ステップＡ４：所要時間調整手段）。
ステップＡ４で合計所要時間が要求所要時間以下に達した場合は、ステップＡ２で登録した地図データの数及びそれぞれの地図データの詳細化レベルを確定する（ステップＡ５：詳細化決定手段）。
地図データの配信先が設定されていない地図計画情報１３ｊを対象に管理端末１４に表示し、該当する地図計画情報１３ｊに地図データの配信先の入力を受け付けて、その配信先を地図計画情報１３ｊに登録する（ステップＡ６：補足追加手段）。
画像データが関連付けられていない画像計画情報１３ｉの一覧を管理端末１４に表示し、一覧の中からの選択を受け付けた画像計画情報１３ｉに管理端末１４のＵＳＢメモリに登録されている画像データを関連付けて登録する（ステップＡ７：画像データ登録手段）。
画像計画情報１３ｉの一覧を管理端末１４に表示し、一覧の中からの選択を受け付けた画像計画情報１３ｉに関連付けられた画像データ１３ｍを地図計画情報１３ｊの詳細化順番と縮尺比率とに基づいて、段階的に地図データへと変換し、変換後の地図データ１３ｎを該当する地図計画情報１３ｊに関連付けて登録する（ステップＡ８：画像データ変換手段）。
管理端末１４からの画像計画情報１３ｉの選択に基づいて、この画像計画情報１３ｉに関連付けられた全ての地図計画情報１３ｊ及びこの地図計画情報１３ｊに関連付けられた地図データを地図計画情報１３ｊの地図データの配信先に該当する利用者端末２に送信する（ステップＡ９：地図データ配信手段）。
【００２８】
この実施例１によれば、画像データ１３ｍから目的の複数の詳細化レベルの地図データ１３ｎを作成するまでの処理（画像データ変換手段）を１度で済ませることによって、利用者への地図データを早く配信することができる。
【実施例２】
【００２９】
この発明に係る画像データ作成提供方法の実施例について説明する。図４は、画像データ作成提供方法の全体プロセスの概念的構成を示すブロック図であり、各プロセスの処理内容は、実施例１と同様なので省略する。実施例２では、実施例１とプロセスが異なっている点について説明する。
第１は画像データを登録することが決定した時点で、管理工程Ｂ及び作成工程Ｃが並行して処理を行っている点であり、第２は作成工程Ｃの途中で、所定の詳細化レベルの地図データの作成が完了した時点で管理工程Ｂ及び作成工Ｃと並行して提供工程Ｄの処理を行っている点である。
【００３０】
この実施例２によれば、管理工程Ｂと、作成工程Ｃと、提供工程Ｄとの処理を並行して行うことによって、さらに、利用者への地図データを早く配信することができる。
【００３１】
以上、この発明の実施例について図面を参照して詳述してきたが、具体的な構成はこれらの実施例に限られるものではなく、この発明の要旨を逸脱しない範囲の設計の変更等があってもこの発明に含まれる。
【００３２】
例えば、上述の実施例では、所用時間の算出において、１つの画像データから変換して作成する地図データの数（又は範囲）によって所用時間が異なるテーブルを作成したが、これに限定されず他のテーブルを用いてもよい。
また、上述の実施例は、その目的及び構成などに特に矛盾や問題がない限り、互いの技術を流用することができる。
【図面の簡単な説明】
【００３３】
【図１】この発明の実施例１における画像データ作成提供システムの概念的構成を示すブロック図である。
【図２】同システムの管理装置１の概念的構成を示すブロック図である。
【図３】同システムの動作を示すフローチャートである。
【図４】この発明の実施例２における画像データ作成提供方法の全体プロセスの概念的構成を示すブロック図である。
【図５】同方法の説明図である。
【図６】従来の画像データ作成方法の説明図である。
【符号の説明】
【００３４】
１  管理装置
１４  管理端末
１１  制御部
１２  通信部
１３  記憶部
１３ａ  基本計画登録プログラム（基本計画登録手段）
１３ｂ  詳細計画登録プログラム（詳細計画登録手段）
１３ｃ  作所要時間算出プログラム（所要時間算出手段）
１３ｄ  補足追加プログラム（補足追加手段）
１３ｅ  画像データ登録プログラム（画像データ登録手段）
１３ｆ  画像データ変換プログラム（画像データ変換手段）
１３ｇ  地図データ配信プログラム（画像データ配信手段）
１３ｈ  基本計画情報（管理情報）
１３ｉ  画像計画情報（管理情報）
１３ｊ  地図計画情報（管理情報）
１３ｋ  基準時間情報（管理情報）
１３ｍ  画像データ（管理情報）
１３ｎ  地図データ（管理情報）
２  利用者端末
３  通信ネットワーク
【図１】
2008234493.tif 000003
【図２】
2008234493.tif 000004
【図３】
2008234493.tif 000005
【図４】
2008234493.tif 000006
【図５】
2008234493.tif 000007
【図６】
2008234493.tif 000008